(57)【要約】【課題】  注ぎ口を隠すことができるとともに、メンテナンスが容易である、浄油器、を提供すること。【解決手段】  上ポットと下ポット３とからなる浄油器において、下ポット３の開口部３１１に、両端部４１，４２が開口部３１１に内側から回動自在に支持された注ぎ口体４と、両端部５１，５２が開口部３１１に外側から回動自在に支持されたレバー５と、が設けられており、レバー５が、注ぎ口体４に対して回動方向に所定の角度を維持した状態で、両端部５１，５２が注ぎ口体４の両端部４１，４２に連結して、注ぎ口体４と一体となっており、注ぎ口体４と共に回動するようになっており、注ぎ口体４が、開口部３１１の一方側に位置して注ぎ口４０を構成する使用状態と、開口部３１１の他方側に位置して開口部３１１の内側に全て収納される収納状態と、の間で回動可能となっていることを特徴としている。【選択図】図５
2005124647.tif 000002
【特許請求の範囲】
【請求項１】
油を濾過する上ポットと、濾過された油を受けて貯める下ポットと、からなる浄油器において、
下ポットの開口部に、両端部が該開口部に内側から回動自在に支持された略半円状の注ぎ口体と、両端部が該開口部に外側から回動自在に支持された湾曲円弧状のレバーと、が設けられており、
レバーが、注ぎ口体に対して回動方向に所定の角度を維持した状態で、その両端部が注ぎ口体の両端部に連結して、注ぎ口体と一体となっており、注ぎ口体と共に回動するようになっており、
注ぎ口体が、上記開口部の一方側に位置して注ぎ口を構成する使用状態と、上記開口部の他方側に位置して上記開口部の内側に全て収納される収納状態と、の間で回動可能となっていることを特徴とする浄油器。
【請求項２】
下ポットの開口部の内面には、使用状態において注ぎ口体の下縁を受け止める段部が形成されており、注ぎ口体は、該段部に受け止められた状態で、注ぎ口が上記開口部の上縁より上方に位置する使用状態となるようになっている、請求項１記載の浄油器。
【請求項３】
注ぎ口体が、帯状体からなっており、注ぎ口を形成している上縁部と、下ポットの開口部の上記一方側の内面に当接する面状本体部と、からなっており、
注ぎ口体の両端部が、面状本体部を外向きに張り出すよう付勢するばね機構を有している、請求項１記載の浄油器。
【請求項４】
下ポットが取っ手を有しており、
注ぎ口体の収納状態において、レバーは、注ぎ口体の上方に位置するとともに、その中央部が下ポットの取っ手の切欠き部に上方から当接するようになっている、請求項１記載の浄油器。
【請求項５】
上ポットが取っ手を有しており、上ポット及び下ポットの両取っ手は、上ポットを下ポット上に載置した場合に上記切欠き部を残して重なって一体的となる形態を有しており、
注ぎ口体の収納状態において、上ポットは、レバーを回避して下ポット上に載置可能となっている、請求項４記載の浄油器。
【請求項６】
注ぎ口体の両端部が、上記開口部及びレバーの両端部に対して脱着可能である、請求項１記載の浄油器。
【請求項７】
レバーの両端部が、上記開口部及び注ぎ口体の両端部に対して脱着可能である、請求項１記載の浄油器。
【請求項８】
注ぎ口体の端部とレバーの端部との連結構造は、一方の端部の板状突起を他方の端部のスリットに嵌入させてなるものである、請求項１記載の浄油器。
【請求項９】
注ぎ口体の少なくとも一方の端部に、摘みが設けられている、請求項６記載の浄油器。
【請求項１０】
上ポットは、下部の小径部に活性炭フィルターを保持しており、該小径部は、活性炭フィルターの周囲を圧迫するよう、更に小径となっている、請求項１記載の浄油器。
【発明の詳細な説明】
【技術分野】
【０００１】
本発明は、例えば調理用油などを再使用するために濾過して貯める浄油器に関するものである。
【背景技術】
【０００２】
油を濾過する上ポットと、濾過された油を受けて貯める下ポットと、からなる浄油器は、一般に、下ポット上に上ポットを重ねるように載置した状態で、使用され、また、保管される。このような浄油器においては、近年、下ポット上に上ポットを載置した際に、注ぎ口を隠すことが求められている。そして、それを満たす浄油器としては、例えば特許文献１に記載のものがあった。
【特許文献１】特許番号第２５９３９２３号明細書
【発明の開示】
【発明が解決しようとする課題】
【０００３】
特許文献１記載の浄油器では、下ポット上に上ポットを載置した際の注ぎ口を隠すための構成として、次の構成を採用している。即ち、上ポットの下部を小径とし、その回りをカバーリングで覆い、該小径の部分とカバーリングとの間の空隙に、注ぎ口を位置させるようにしている。
【０００４】
しかしながら、上記構成では、注ぎ口に付着している油がカバーリングや上ポットに付着する恐れがあり、メンテナンスが面倒になる恐れがあった。
【０００５】
本発明は、注ぎ口を隠すことができるとともに、メンテナンスが容易である、浄油器、を提供することを目的とする。
【課題を解決するための手段】
【０００６】
請求項１記載の発明は、油を濾過する上ポットと、濾過された油を受けて貯める下ポットと、からなる浄油器において、下ポットの開口部に、両端部が該開口部に内側から回動自在に支持された略半円状の注ぎ口体と、両端部が該開口部に外側から回動自在に支持された湾曲円弧状のレバーと、が設けられており、レバーが、注ぎ口体に対して回動方向に所定の角度を維持した状態で、その両端部が注ぎ口体の両端部に連結して、注ぎ口体と一体となっており、注ぎ口体と共に回動するようになっており、注ぎ口体が、上記開口部の一方側に位置して注ぎ口を構成する使用状態と、上記開口部の他方側に位置して上記開口部の内側に全て収納される収納状態と、の間で回動可能となっていることを特徴としている。
【０００７】
請求項２記載の発明は、請求項１記載の発明において、下ポットの開口部の内面には、使用状態において注ぎ口体の下縁を受け止める段部が形成されており、注ぎ口体は、該段部に受け止められた状態で、注ぎ口が上記開口部の上縁より上方に位置する使用状態となるようになっているものである。
【０００８】
請求項３記載の発明は、請求項１記載の発明において、注ぎ口体が、帯状体からなっており、注ぎ口を形成している上縁部と、下ポットの開口部の上記一方側の内面に当接する面状本体部と、からなっており、注ぎ口体の両端部が、面状本体部を外向きに張り出すよう付勢するばね機構を有しているものである。
【０００９】
請求項４記載の発明は、請求項１記載の発明において、下ポットが取っ手を有しており、注ぎ口体の収納状態において、レバーは、注ぎ口体の上方に位置するとともに、その中央部が下ポットの取っ手の切欠き部に上方から当接するようになっているものである。
【００１０】
請求項５記載の発明は、請求項４記載の発明において、上ポットが取っ手を有しており、上ポット及び下ポットの両取っ手は、上ポットを下ポット上に載置した場合に上記切欠き部を残して重なって一体的となる形態を有しており、注ぎ口体の収納状態において、上ポットは、レバーを回避して下ポット上に載置可能となっているものである。
【００１１】
請求項６記載の発明は、請求項１記載の発明において、注ぎ口体の両端部が、上記開口部及びレバーの両端部に対して脱着可能であるものである。
【００１２】
請求項７記載の発明は、請求項１記載の発明において、レバーの両端部が、上記開口部及び注ぎ口体の両端部に対して脱着可能であるものである。
【００１３】
請求項８記載の発明は、請求項１記載の発明において、注ぎ口体の端部とレバーの端部との連結構造は、一方の端部の板状突起を他方の端部のスリットに嵌入させてなるものである。
【００１４】
請求項９記載の発明は、請求項６記載の発明において、注ぎ口体の少なくとも一方の端部に、摘みが設けられているものである。
【００１５】
請求項１０記載の発明は、請求項１記載の発明において、上ポットは、下部の小径部に活性炭フィルターを保持しており、該小径部は、活性炭フィルターの周囲を圧迫するよう、更に小径となっているものである。
【発明の効果】
【００１６】
請求項１記載の発明によれば、レバーを回動させることにより、注ぎ口体を使用状態と収納状態とにすることができる。従って、下ポットに貯まった油を、手を油で汚すことなく、他の容器などへ移すことができ、また、下ポット上に上ポットを載置してなる保管状態を、手を油で汚すことなく、実現できる。
【００１７】
請求項２記載の発明によれば、レバーを回動させて注ぎ口体の下縁が段部に当接したところが注ぎ口体の使用状態となるので、使用状態における注ぎ口体及びレバーの位置決めを容易に行うことができる。
【００１８】
請求項３記載の発明によれば、注ぎ口体を使用状態へ回動させる際や使用状態から回動させる際に、面状本体部を下ポットの開口部の内面に摺接させることができる。従って、注ぎ口体に付着している油を、その度に、削ぎ取ることができる。それ故、開口部と注ぎ口体との間に油が溜まるのを防止できる。従って、メンテナンスの手間を軽減でき、メンテナンスを容易に行うことができる。
【００１９】
請求項４記載の発明によれば、レバーを回動させてその中央部が取っ手の切欠き部に当接したところが注ぎ口体の収納状態となるので、収納状態におけるレバー及び注ぎ口体の位置決めを容易に行うことができる。
【００２０】
請求項５記載の発明によれば、下ポット上に上ポットを載置すると、取っ手が一体に見えるようになり、しかも、レバーが切欠き部に保持され且つ上ポットを回避して安定して存在することとなる。従って、下ポット上に上ポットを載置してなる保管状態を、見映えの良い安定したものにできる。
【００２１】
請求項６記載の発明によれば、注ぎ口体を取り外すことができるので、注ぎ口体のメンテナンスを容易に行うことができる。
【００２２】
請求項７記載の発明によれば、レバーを取り外すことができるので、レバーのメンテナンスを容易に行うことができる。
【００２３】
請求項８記載の発明によれば、注ぎ口体とレバーとの連結を簡単な構造で実現でき、しかも、注ぎ口体とレバーとが回動方向に所定の角度を維持した状態を簡単な構造で実現できる。
【００２４】
請求項９記載の発明によれば、注ぎ口体の脱着作業を、摘みを持って行うことができるので、容易に行うことができる。
【００２５】
請求項１０記載の発明によれば、活性炭フィルターの周囲に圧力が加わり、活性炭フィルターの周囲よりも中央部を油が通りやすくなる。従って、活性炭フィルターによる濾過効率を向上できる。また、活性炭フィルターが上ポットの下部から落下するのを防止できる。
【発明を実施するための最良の形態】
【００２６】
図１は本発明の浄油器の側面図、図２は同じく一部断面分解図である。浄油器１は、油を濾過する上ポット２と、濾過された油を受けて貯める下ポット３と、からなっている。上ポット２は、下ポット３上に、それぞれの周面が略同一面となるように、載置されるようになっている。
【００２７】
上ポット２において、ポット本体２１の周面の一部には取っ手２２が取り付けられている。ポット本体２１は、内部の上部にメッシュフィルター２３を備えると共に、下部の小径部２１０内に活性炭フィルター２４を有している。上ポット２は、濾過したい油をメッシュフィルター２３上に注ぐことにより、メッシュフィルター２３で大きな不要物を濾取し、活性炭フィルター２４で小さな不要物を濾取して、油を清浄化するようになっている。上ポット２は、一般には、蓋（図示せず）で上部開口２１１が塞がれる。なお、メッシュフィルター２３は、タブ２３１を摘んで、ポット本体２１へ出し入れ可能となっている。活性炭フィルター２４は、小径部２１０内に嵌め込まれている。小径部２１０は、活性炭フィルター２４の下部を両側から圧迫するよう、下部２１０１が更に小径となっている。
【００２８】
下ポット３は、上ポット２で濾過された油を受けて貯めるようになっている。下ポット３において、ポット本体３１の周面の一部には取っ手３２が取り付けられている。上ポット２の取っ手２２と、下ポット３の取っ手３２とは、図１に示すように、重ねた際に一体となる形態を有している。具体的には、取っ手２２と取っ手３２とは、同じように湾曲しており、取っ手３２の湾曲外面には、取っ手２２の湾曲内面の延在凸部２２１が嵌り込む溝（図示せず）が形成されている。図３は図１のIII矢視部分図である。取っ手２２と取っ手３３は同じ幅を有しており、上方から見ても、重ねた際に一体となる形態を有している。
【００２９】
図４、図５、図７〜図９は下ポット３について示す図であるが、これらの図では、取っ手３２を省略している。図４は下ポット３の一作動状態の側面図であり、図５はその状態の斜視図である。両図に示すように、下ポット３の開口部３１１には、略半円状の注ぎ口体４と、湾曲円弧状のレバー５と、が設けられている。注ぎ口体４は、両端部４１，４２が開口部３１１に内側から回動自在に支持されている。レバー５は、両端部５１，５２が開口部３１１に外側から回動自在に支持されている。
【００３０】
レバー５は、注ぎ口体４に対して回動方向に所定の角度αを維持した状態で、その両端部５１，５２が注ぎ口体４の両端部４１，４２にそれぞれ連結して、注ぎ口体４と一体となっており、注ぎ口体４と共に矢印Ａ，Ｂに示すように回動するようになっている。具体的には、注ぎ口体４の両端部４１，４２とレバー５の両端部５１，５２との連結構造は、次のようになっている。即ち、拡大分解斜視図である図６に示すように、レバー５の端部５１には、内向きの板状突起５１１が形成されている。板状突起５１１は、レバー５の幅方向Ｗと平行に形成されている。一方、注ぎ口体４の端部４１には、スリット４１１が形成されている。スリット４１１は、注ぎ口体４の幅方向Ｗに対して角度αだけ傾いて形成されている。そして、板状突起５１１は、開口部３１１の貫通孔３１２を通って、スリット４１１に嵌入されるようになっている。貫通孔３１２は、板状突起５１１の幅Ｗ１より少し大径である。なお、この連結構造は、分解可能となっている。即ち、板状突起５１１は、スリット４１１及び貫通孔３１２から抜き出すことも可能となっている。注ぎ口体４の端部４２とレバー５の端部５２との連結も、同じである。これにより、レバー５は、注ぎ口体４に対して回動方向に所定の角度αを維持した状態で、注ぎ口体４と一体となっており、注ぎ口体４と共に矢印Ａ，Ｂに示すように回動するようになっている。
【００３１】
上述したように、注ぎ口体４とレバー５とは、所定の角度αを維持した状態で、矢印Ａ，Ｂ方向（図４）に一体に回動するが、図７は、両者が図４の矢印Ａ方向に回動して、注ぎ口体４が開口部３１１の図４中の左側に位置して注ぎ口を構成している、使用状態であり、図２は、両者が図４の矢印Ｂ方向に回動して、注ぎ口体４が開口部３１１の図４中の右側に位置して開口部３１１の内側に全て収納されている、収納状態を示している。なお、図８は図７に示す使用状態の斜視図であり、図９は図２に示す収納状態の斜視図である。
【００３２】
注ぎ口体４は、帯状体からなっており、注ぎ口４０を形成するよう変形されている上縁部４３と、面状本体部４４と、からなっている。一方、開口部３１１の内面には、使用状態において面状本体部４４の下縁４４１を受け止める段部３１３（図６）が形成されている。使用状態（図７、図８）において、注ぎ口体４は、段部３１３に受け止められた状態で、注ぎ口４０が開口部３１１の上縁３１４より上方に位置するようになっている。
【００３３】
一方、収納状態（図２、図９）において、レバー５は注ぎ口体４の上方に位置しており、レバー５の本体部５０の中央部５０１が、取っ手３２に形成されている切欠き部３２１に上方から当接している。この切欠き部３２１は、取っ手３２に取っ手２２が重ねられた状態においても、レバー５の中央部５０１を保持したまま確保されるようになっている。なお、レバー５の本体部５０は、収納状態において、下ポット３上に載置された上ポット２に接触しないよう湾曲している。
【００３４】
注ぎ口体４の両端部４１，４２は、図５に示すように、屈曲部からなるばね機構４５，４６を有している。ばね機構４５，４６は、面状本体部４４を外向きに張り出すよう付勢している。更に、注ぎ口体４の端部４２には、図５及び図１０に示すように、摘み４７が設けられている。
【００３５】
上記構成の浄油器１は、次のように使用する。即ち、まず、図１に示すように、下ポット３上に上ポット２を重ねるように載置する。このとき、下ポット３の注ぎ口体４は収納状態としておく。そして、図１の状態で、上ポット２に濾過したい油を注ぐ。注がれた油は、上ポット２にて濾過されることにより清浄化され、下ポット３内に落下して貯まる。
【００３６】
上ポット２による濾過が終了すると、取っ手２２を把持して上ポット２を下ポット３上から持ち上げて除く。そして、レバー５を矢印Ａ方向（図４）に回動させる。このとき、レバー５は、注ぎ口体４に対して回動方向に角度αを維持した状態で、注ぎ口体４を伴って回動する。そして、注ぎ口体４の下縁４４１が開口部３１１内の段部３１３に上方から当接したところで、レバー５及び注ぎ口体４の回動が停止し、注ぎ口体４が図７及び図８に示す使用状態となる。なお、使用状態における注ぎ口体４の状態は、上述したとおりである。
【００３７】
ところで、注ぎ口体４の面状本体部４４は、開口部３１１の内面に当接するよう形成されているので、使用状態において、面状本体部４４は、開口部３１１の内側に嵌り込んだようになって安定している。しかしながら、面状本体部４４は、ばね機構４５，４６によって外向きに張り出すよう付勢されているので、使用状態において、開口部３１１の内面に圧接しており、開口部３１１の内側において更に安定している。
【００３８】
そして、取っ手３２を把持して下ポット３を傾けて、貯まっている油を注ぎ口体４の注ぎ口４０から他の容器などへ注ぐ。こうして、使用状態を操作する。
【００３９】
使用状態の操作を終えると、レバー５を矢印Ｂ方向（図４）へ回動させる。このときも、レバー５は、注ぎ口体４に対して回動方向に角度αを維持した状態で、注ぎ口体４を伴って回動する。そして、レバー５の中央部５０１が取っ手３２の切欠き部３２１に上方から当接したところで、レバー５及び注ぎ口体４の回動が停止し、注ぎ口体４が図２及び図９に示す収納状態となる。収納状態において、注ぎ口体４は、開口部３１１の内側に全て収納されている。
【００４０】
そして、取っ手２２を把持して、取っ手２２を取っ手３２上に重ねながら、上ポット２を下ポット３上に載置する。これにより、浄油器１は、図１に示す濾過使用又は保管の状態となる。
【００４１】
下ポット２において、注ぎ口体４及びレバー５の本体３１からの取り外しは、次のように行う。即ち、摘み４７を持って端部４２を内向きに動かすことにより、端部４２のスリット４２１からレバー５の板状突起５２１を引き抜く。次に、端部４１を内向きに動かすことにより、端部４１のスリット４１１からレバー５の板状突起５１１を引き抜く。これにより、注ぎ口体４が本体３１から外される。次に、レバー５の板状突起５１１，５２１をそれぞれ貫通孔３１２から引き抜く。これにより、レバー５が本体３１から外される。
【００４２】
上記構成の浄油器１においては、次のような作用効果が発揮される。
（１）レバー５を回動させることにより、注ぎ口体４を使用状態と収納状態とにすることができるので、下ポット２に貯まった油を、手を汚すことなく、他の容器などへ移すことができ、また、下ポット上に上ポットを載置してなる保管状態を、手を汚すことなく、実現できる。
【００４３】
（２）レバー５を回動させて注ぎ口体４を使用状態とする際に、注ぎ口体４の下縁４４１が段部３１３に上方から当接することにより、回動が停止するので、使用状態における注ぎ口体４及びレバー５の位置決めを容易に行うことができる。
【００４４】
（３）注ぎ口体４の面状本体部４４が開口部３１１の内面に当接するようになっているので、注ぎ口体４を使用状態へ回動させる際や使用状態から回動させる際に、面状本体部４４が開口部３１１の内面に摺接する。そのため、注ぎ口体４に付着している油が、その度に、削ぎ取られることとなる。それ故、開口部３１１と注ぎ口体４との間に油が溜まるのが防止される。従って、メンテナンスの手間を軽減でき、メンテナンスを容易に行うことができる。
【００４５】
（４）レバー５を回動させて注ぎ口体４を収納状態とする際に、レバー５の中央部５０１が取っ手３２の切欠き部３２１に上方から当接することにより、回動が停止するので、収納状態におけるレバー５及び注ぎ口体４の位置決めを容易に行うことができる。
【００４６】
（５）収納状態において、注ぎ口体４は開口部３１１の内側に完全に隠れている。また、上ポット２は、下ポット３上に、それぞれの周面が略同一面となるように、載置されるようになっている。また、上ポット２の取っ手２２と、下ポット３の取っ手３２とは、図１に示すように、重ねた際に一体となる形態を有している。しかも、図３に示すように、取っ手２２と取っ手３３は同じ幅を有しており、上方から見ても、重ねた際に一体となる形態を有している。更に、収納状態において、レバー５の中央部５０１は、切欠き部３２１に保持されており、レバー５の本体部５０は、下ポット３上に載置された上ポット２に接触しないよう湾曲している。従って、下ポット３上に上ポット２を載置してなる保管状態を、見映えの良い安定したものにできる。
【００４７】
（６）注ぎ口体４を本体３１から取り外すことができるので、注ぎ口体４のメンテナンスが容易である。しかも、注ぎ口体４は、摘み４７を持って取り外すことができるので、容易に取り外すことができ、また、容易に取り付けることもできる。
【００４８】
（７）レバー５を本体３１から取り外すことができるので、レバー５のメンテナンスが容易である。
【００４９】
（８）注ぎ口体４とレバー５とは、板状突起５１１，５２１をスリット４１１，４２１に嵌入させることにより連結しているので、簡単な構造で連結でき、しかも、簡単な構造で角度αを維持できる。
【００５０】
（９）上ポット２の小径部２１０の下部２１０１が活性炭フィルター２４を圧迫しているので、活性炭フィルター２４の周囲に圧力が加わり、活性炭フィルター２４の周囲よりも中央部を油が通りやすくなる。よって、活性炭フィルター２４による濾過効率を向上できる。
【００５１】
なお、次のような構成を採用してもよい。
（１）注ぎ口体４とレバー５との連結構造において、注ぎ口体４に、スリットに代えて板状突起を設け、レバー５に、板状突起に代えてスリットを設けてもよい。
【００５２】
（２）注ぎ口体４に設けた摘み４７を、レバー５に設けてもよい。
【産業上の利用可能性】
【００５３】
本発明は、注ぎ口を隠すことができるとともに、使用やメンテナンスが容易である、浄油器、を提供できるので、産業上の利用価値は大である。
【図面の簡単な説明】
【００５４】
【図１】本発明の浄油器の側面図である。
【図２】図１の浄油器の一部断面分解図である。
【図３】図１のIII矢視部分図である。
【図４】下ポットの一作動状態の側面図である。
【図５】図４の状態の斜視図である。
【図６】注ぎ口体とレバーとの連結構造の拡大分解斜視図である。
【図７】下ポットの使用状態の側面図である。
【図８】図７の状態の斜視図である。
【図９】下ポットの収納状態の斜視図である。
【図１０】注ぎ口体の一端部の斜視図である。
【符号の説明】
【００５５】
１  浄油器  ２  上ポット  ２１０  小径部  ２１０１  下部  ２２  取っ手  ２４  活性炭フィルター  ３  下ポット  ３１１  開口部  ３１３  段部  ３１４  上縁  ３２  取っ手  ３２１  切欠き部  ４  注ぎ口体  ４１，４２  端部  ４１１，４２１  スリット  ４３  上縁部  ４４  面状本体部  ４４１  下縁  ４５，４６  ばね機構  ４７  摘み  ５  レバー  ５１，５２  端部  ５１１，５２１  板状突起
【図１】
2005124647.tif 000003
【図２】
2005124647.tif 000004
【図３】
2005124647.tif 000005
【図４】
2005124647.tif 000006
【図５】
2005124647.tif 000007
【図６】
2005124647.tif 000008
【図７】
2005124647.tif 000009
【図８】
2005124647.tif 000010
【図９】
2005124647.tif 000011
【図１０】
2005124647.tif 000012